(57)【要約】【課題】エレベーターかごの荷重を求める装置が提供される。【解決手段】図示例によるエレベーターかご２２の荷重を求める装置は、それぞれが荷重支持部材３０の端部を固定するように構成された複数の末端部４０を備える。末端部４０のそれぞれが少なくとも一つの歪みゲージ６０を備えるように複数の歪みゲージ６０のそれぞれが、複数の末端部４０の対応する一つの末端部４０の一部に固定される。荷重測定処理装置６２が、複数の歪みゲージ６０からの指標を受け取り、エレベーターかご２２の荷重を、受け取った指標に基づいて求める。【選択図】図２
2019006605.tif 000002
【特許請求の範囲】
【請求項１】
それぞれが荷重支持部材の端部を固定するように構成された複数の末端部と、
それぞれが前記複数の末端部のうちの一つの末端部の一部に固定され、各前記末端部に少なくともその一つが含まれる複数の歪みゲージと、
前記複数の歪みゲージからの指標を受け取り、エレベーターかごの荷重を、前記受け取った指標に基づいて求める荷重測定処理装置と、を備えたエレベーターかごの荷重測定装置。
【請求項２】
前記複数の末端部のそれぞれが、ロッドと、前記ロッドに接続されたソケット部と、少なくとも一部が前記ソケット部の内部に配置されたくさび部とを有し、
前記歪みゲージが、前記複数の末端部のうちの対応する一つの末端部のロッド又はソケット部の少なくとも一方に配置された請求項１に記載の装置。
【請求項３】
前記ソケット部が、前記エレベーターかごの荷重方向に延びる少なくとも一つの硬質部材を備え、
前記歪みゲージが、対応する末端部の前記少なくとも一つの硬質部材に配置された請求項２に記載の装置。
【請求項４】
前記荷重測定処理装置が、前記複数の末端部のそれぞれの歪みゲージの指標に対応する荷重の値を求め、
前記エレベーターかごの荷重を、前記求めた荷重の値の合計から求める請求項１に記載の装置。
【請求項５】
前記荷重測定処理装置が、前記エレベーターかごの荷重が、前記荷重支持部材のそれぞれに均等に配分されているかを判断する請求項１に記載の装置。
【請求項６】
エレベーターかごと、
前記エレベーターかごを吊り下げる複数の荷重支持部材と、
それぞれが前記荷重支持部材のうちの各一つの荷重支持部材の端部を固定する複数の末端部と、
それぞれが前記複数の末端部のうちの一つの末端部の一部に固定され、各前記末端部に少なくともその一つが含まれる複数の歪みゲージと、
前記エレベーターかごの荷重を、前記荷重支持部材のうちの対応する一つの荷重支持部材の荷重に対応する前記歪みゲージからの指標によって求める荷重測定処理装置と、を備えるエレベーターシステム。
【請求項７】
前記複数の末端部のそれぞれが、ロッドと、前記ロッドに接続されたソケット部と、少なくとも一部が前記ソケット部の内部に配置されたくさび部とを有し、
前記歪みゲージが、前記複数の末端部のうちの対応する一つの末端部のロッド又はソケット部の少なくとも一方に配置された請求項６に記載のエレベーターシステム。
【請求項８】
前記ソケット部が、前記エレベーターかごの荷重方向に延びる少なくとも一つの硬質部材を備え、
前記歪みゲージが、対応する末端部の前記少なくとも一つの硬質部材に配置された請求項７に記載のエレベーターシステム。
【請求項９】
前記荷重測定処理装置が、前記荷重支持部材のそれぞれの歪みゲージの指標に対応する荷重の値を求め、
前記エレベーターかごの荷重を、前記求めた荷重の値の合計から求める請求項６に記載のエレベーターシステム。
【請求項１０】
前記荷重測定処理装置が、前記エレベーターかごの荷重が、前記荷重支持部材のそれぞれに均等に配分されているかを判断する請求項６に記載のエレベーターシステム。
【請求項１１】
前記荷重支持部材が、外装の内部に炭素繊維張力部材を有するベルトを備える請求項６に記載にエレベーターシステム。
【請求項１２】
前記エレベーターかごがエレベーター通路に配置され、
前記エレベーター通路は、前記エレベーター通路の選択位置に引っ掛けプレートを備え、
前記末端部が前記引っ掛けプレートに固定された請求項６に記載のエレベーターシステム。
【請求項１３】
前記エレベーターかごが交差ビームを備え、
前記末端部が前記交差ビームに固定された請求項６に記載のエレベーターシステム。
【請求項１４】
機械を備え、前記複数の荷重支持部材が前記機械の作動に対応して動作し、エレベーターかごを移動させる請求項６に記載のエレベーターシステム。
【発明の詳細な説明】
【技術分野】
【０００１】
本開示は、エレベーターかごの荷重測定装置に関する。
【背景技術】
【０００２】
エレベーターシステムは、いくつかの目的のために、エレベーターかごの荷重に関する情報を利用する。殆どのかご荷重測定装置は、エレベーターかごに配置された荷重センサーを使用する。エレベーターかごの乗員の数が変わることから、荷重センサーからの出力が変化して、かごの荷重の変化の指標が示される。
【０００３】
こうした構成は効果的であることから、当業者は常に改善するように努力している。さらに、ロープ荷重支持部材などの他のエレベーター部品が変わると、異なる荷重測定配置あるいは機能が改善された荷重測定配置の必要性が高まる。
【発明の概要】
【課題を解決するための手段】
【０００４】
エレベーターかごの荷重を測定する図示例の装置は、それぞれが荷重支持部材の端部を固定するように構成された複数の末端部を備える。複数の歪みゲージのそれぞれが複数の末端部のうちの一つの末端部の一部に固定され、これにより複数の末端部のそれぞれが、少なくとも一つの歪みゲージを備える。荷重測定処理装置が、複数の歪みゲージからの指標を受け取り、エレベーターかごの荷重を、受け取った指標に基づいて求める。
【０００５】
先の段落における一つ又は複数の特徴を持つ装置の実施形態例では、複数の末端部のそれぞれが、ロッドと、ロッドに接続されたソケット部と、ソケット部に少なくとも部分的に配置されたくさび部とを備える。各歪みゲージは、複数の末端部のうちの対応する一つの末端部のロッド又はソケット部の少なくとも一方に配置される。
【０００６】
先のいくつかの段落のうち、いずれか一つ又は複数の特徴を持つ装置の実施形態例でのソケット部は、エレベーターかごの荷重方向に延びる少なくとも一つの硬質部材を備え、歪みゲージは、その少なくとも一つの硬質部材に配置される。
【０００７】
先のいずれかの段落における一つ又は複数の特徴を持つ装置の実施形態例では、荷重測定処理装置が、複数の末端部のそれぞれからの歪みゲージの指標に対応する荷重の値を求め、エレベーターかごの荷重を、求めた荷重の値の合計から求める。
【０００８】
先の段落における一つ又は複数の特徴を有する装置の実施形態例での荷重測定処理装置は、エレベーターかごの荷重が、それぞれの荷重支持部材に均等に配分されているかを判断する。
【０００９】
本発明の実施形態により構成された図示例のエレベーターシステムは、エレベーターかごと、エレベーターかごを吊り下げる複数の荷重支持部材と、それぞれが対応する荷重支持部材の一つの端部を固定する複数の末端部と、各末端部が少なくとも一つの歪みゲージを有するように、複数の末端部のそれぞれの一部に固定された複数の歪みゲージと、エレベーターかごの荷重を、歪みゲージからの指標によって求める荷重測定処理装置とを備える。歪みゲージからのそれぞれの指標は、荷重支持部材のそれぞれの荷重に対応する。
【００１０】
先の段落における一つ又は複数の特徴を有するエレベーターシステムの実施形態例での複数の末端部はそれぞれ、ロッドと、ロッドに接続されたソケット部と、ソケット部に少なくとも部分的に配置されたくさび部とを備える。歪みゲージは、複数の末端部のうちの対応する一つの末端部のロッド又はソケット部の少なくとも一方に配置される。
【００１１】
先の段落のいずれかの一つ又は複数の特徴を有するエレベーターシステムの実施形態例におけるソケット部は、エレベーターかごの荷重方向に延びる少なくとも一つの硬質部材を備え、歪みゲージは、その少なくとも一つの硬質部材に配置される。
【００１２】
先の段落のいずれかの一つ又は複数の特徴を有するエレベーターシステムの実施形態例における荷重測定処理装置は、各荷重支持部材からの歪みゲージの指標に対応する荷重の値を求め、エレベーターかごの荷重を、求めた荷重の値の合計から求める。
【００１３】
先の段落のいずれかの一つ又は複数の特徴を有するエレベーターシステムの実施形態例における荷重測定処理装置は、エレベーターかごの荷重が、それぞれの荷重支持部材に均等に配分されているかを判断する。
【００１４】
先の段落のいずれかの一つ又は複数の特徴を有するエレベーターシステムの実施形態例における荷重支持部材は、外装内に炭素繊維張力部材を有するベルトを備える。
【００１５】
先の段落のいずれかの一つ又は複数の特徴を有するエレベーターシステムの実施形態例におけるエレベーターかごは、エレベーター通路に配置され、このエレベーター通路は、エレベーター通路の選択位置に引っ掛けプレートを有し、末端部は引っ掛けプレートに固定される。
【００１６】
先の段落のいずれかの一つ又は複数の特徴を有するエレベーターシステムの実施形態例におけるエレベーターかごは交差ビームを備え、末端部は交差ビームに固定される。
【００１７】
先の段落のいずれかの一つ又は複数の特徴を有するエレベーターシステムの実施形態例は、機械を備える。複数の荷重支持部材は、この機械の作動に対応して動き、エレベーターかごを移動させる。
【００１８】
当業者にとっては、ここで開示した少なくとも一つの実施形態例の種々の特徴及び効果が、以下の詳細な説明によって明らかになるであろう。詳細な説明に付随する図面を以下に簡単に説明する。
【図面の簡単な説明】
【００１９】
【図１】本発明の実施形態によって構成されたエレベーターシステムの選択部分を示す概略図である。
【図２】本発明の実施形態によって構成された一例による末端部の概略図である。
【図３】図２の３−３線に沿った一例による末端部の断面図である。
【発明を実施するための形態】
【００２０】
本発明の実施形態は、エレベーターかごの荷重を、エレベーターかごを支持又は吊り下げる荷重支持部材の端部を固定する末端部の歪みを測定することによって求める機能を提供する。
【００２１】
図１は、エレベーターシステム２０の選択箇所を概略的に示す。エレベーターかご２２と釣り合い重り２４は、エレベーター通路２６の内部に配置され、このエレベーター通路２６の内部を一般的に知られた方法で移動する。複数の荷重支持部材３０が、エレベーターかご２２を釣り合い重り２４に連結する。いくつかの実施形態における荷重支持部材３０は平坦なベルトを備える。他のいくつかの実施形態での荷重支持部材は、円形のロープを備える。平坦なベルトを備える実施形態の荷重支持部材３０は、少なくとも部分的に外装に収納された張力部材を備える。いくつかの例による張力部材は、スチールコードを備える。他のいくつかの張力部材は、炭素繊維を備える。円形のロープを備える実施形態には、円形スチールロープ、あるいは外装コーティングを有し、合成材又は炭素繊維材で作られた円形ロープを含めることができる。
【００２２】
図示した構成における荷重支持部材３０は、機械３４によって選択的に作動して、荷重支持部材３０の動作とエレベーターかご２２の関連動作を行わせる牽引溝車３２に巻回される。荷重支持部材３０は、釣り合い重り２４と一体の遊び溝車３６にも巻回される。
【００２３】
複数の荷重支持部材３０の各端部は、それぞれの末端部４０によって固定される。複数の末端部４０のそれぞれは、ソケット部４２とシンブルロッド４４を備える。図示例における末端部４０のいくつかは、エレベーターかご２２の交差ビーム５０に固定されると共に、他の末端部４０は、エレベーター通路２６の選択位置にある引っ掛けプレート５２に固定される。本発明のいくつかの実施形態では、他のロープ構造が有効である。
【００２４】
この例によるシステム２０は、それぞれが、複数の末端部４０のうちの対応する一つの一部に固定された複数の歪みゲージ６０を備える。歪みゲージ６０は、エレベーターかご２２の荷重を、その歪みゲージ６０からの指標によって求めるように構成あるいはプログラムされた荷重処理装置６２に出力し、又は指標を提供する。この実施形態例での歪みゲージ６０は、歪みゲージ６０が固定された末端部４０の一部における微細な撓みあるいは変化に対して高感度性を有する。歪みゲージ６０は、例えば、歪みゲージ６０によって検出できる直線的な反応を提供する末端部４０の一部に配置される。
【００２５】
図２と図３は、エレベーターかご２２の荷重の指標を提供するように配置された歪みゲージ６０を有する末端部４０の例を示す。この例の末端部４０は、シンブルロッド４４を備え、そのシンブルロッド４４はそれに配置した歪みゲージ６０を有する。シンブルロッド４４の荷重によって高感度の歪みゲージ６０が出力することができ、その出力は荷重処理装置６２によって、末端部４０に一体の荷重支持部材３０が受けたエレベーターかご２２の荷重の指標として解釈することができる。
【００２６】
ソケット部４２は、複数の平面部７０を備える。くさび部７２がソケット部４２の内部に配置され、末端部４０の内部の荷重支持部材３０の端部を固定する。接続部７４が、シンブルロッド４４とソケット部４２を接続する。この図示例では、ソケット部４２のすぐ外側にある荷重支持部材３０の一部に締付け部材７６が設けられる。くさび部７２、ソケット部４２及び締付け部材７６は既知の方法で機能する。
【００２７】
こうした実施形態例においては、歪みゲージ６０を計画的に配置することにより、末端部４０に一体の荷重支持部材３０が受けるエレベーターかご２２の信頼性のある荷重の指標を提供する。図２に示すように、歪みゲージ６０の一つの配置箇所は、ソケット部４２の平面部７０である。この平面部７０は、エレベーターかごの荷重又は重量による荷重支持部材３０の張力方向の荷重を受ける。図示実施形態における複数の歪みゲージのうちの一つは接続部７４の近傍にあり、その部分は、荷重支持部材３０によって発生した荷重に反応し、ソケット部４２の力が集中し易い対応平面部７０の範囲である。
【００２８】
図２及び図３の実施形態は、各末端部に複数の歪みゲージ６０を備えるが、他の実施形態では各末端部に一つだけ歪みゲージを備える。例えば、複数の歪みゲージを各末端部に設けると、各荷重処理装置６２が各歪みゲージを認識して、どの荷重指標がどの末端部４０からのものかを確認できる。荷重処理装置６２は、一つの末端部からの複数の歪みゲージの出力を利用して、その末端部の荷重を求める目的で、例えば、これら出力の平均を求めることができる。
【００２９】
荷重処理装置６２は、複数の末端部４０の歪みゲージ６０からの荷重指標を使用し、エレベーターかごの荷重を求める。いくつかの実施形態例のかご２２には所定の重量が作用し、荷重処理装置６２は、どのように歪みゲージの指標が重量に対応するかを学習する。他の実施形態では、他の処理装置の学習方法あるいは歪みゲージの換算方法を使用できる。
【００３０】
一実施形態における荷重処理装置６２は、各荷重支持部材３０に対応する個々の荷重指標を、対応する荷重支持部材３０に接続された末端部４０に固定された少なくとも一つの歪みゲージ６０から受ける。こうした実施形態の荷重処理装置６２は、全ての荷重指標の合計を求めて、エレベーターかご２２の全荷重を求める。
【００３１】
一実施形態例による荷重処理装置６２は、各荷重支持部材３０に関係するそれぞれの荷重が相互に異なるかを判断するようにプログラムされあるいは構成される。荷重処理装置６２は、エレベーターかご２２の荷重が、複数の荷重支持部材３０に概ね均等に配分されているかを判断するように構成される。異なる複数の荷重支持部材３０によって伝達された複数の荷重の間に、望ましい所定範囲を逸脱した違いがある場合、荷重処理装置６２は、メンテナンス要員に末端装置を調整するように警鐘する指示を提供して、例えば、より均等な荷重の配分を行わせるようにする。
【００３２】
エレベーターかご２２の荷重を求めるために、末端部の歪みゲージを使用する一つの構成としては、エレベーターかご自体に荷重センサーを求めないことがある。さらに、この実施形態例のエレベーターシステムは、比較的高い強度と剛性を有する荷重支持部材を備えるので効果的である。例えば、炭素繊維ベルトは、外装内にスチールコード張力部材を持つベルトよりも硬い。こうした硬い荷重支持部材は、エレベーターシステムに異なる特性を与え、この実施形態例によって、こうしたエレベーターシステムにおける正確な荷重の測定を可能とする。
【００３３】
上記の説明は、例示であり、本質を限定するものではない。開示した例を、本発明の本質から離れる必要なく変更し修正できることは当業者には明らかである。本発明に与えられる法的保護の範囲は、以下の特許請求の範囲を検討することのみによって判断できる。
【図１】
2019006605.tif 000003
【図２】
2019006605.tif 000004
【図３】
2019006605.tif 000005